(57)【要約】    【課題】収納空間の左右端部近傍に置かれた資機材を積み降ろす必要がなく、可動収納体を収納位置から外方の使用位置に位置変更するだけで容易に取り出すことができる作業工作車を提供する。    【解決手段】運転部の後方位置に、作業に用いる資機材を収納する収納部を配設した作業工作車において、収納部に、左右方向に連通する収納空間を形成し、同収納空間の左右側部に可動収納体を配置すると共に、各可動収納体は、収納部の外側壁に沿わせて閉塞した収納位置と、収納部の外側壁よりも外方へ張り出させて開放した使用位置とに位置変更自在とした。【選択図】      図２
2005280659.tif 000002
【特許請求の範囲】
【請求項１】
運転部の後方位置に、作業に用いる資機材を収納する収納部を配設した作業工作車において、
収納部に、左右方向に連通する収納空間を形成し、同収納空間の左右側部に可動収納体を配置すると共に、各可動収納体は、収納部の外側壁に沿わせて閉塞した収納位置と、収納部の外側壁よりも外方へ張り出させて開放した使用位置とに位置変更自在としたことを特徴とする作業工作車。
【請求項２】
前記可動収納体は、前部又は後部を支点として回動自在に構成したことを特徴とする請求項１記載の作業工作車。
【請求項３】
前記収納部の前後左右方向の略中央位置にポンプを配置するとともに、後部の左右方向略中央位置にタンクを配置したことを特徴とする請求項１又は２記載の作業工作車。
【発明の詳細な説明】
【技術分野】
【０００１】
本発明は、作業工作車に関するものである。
【背景技術】
【０００２】
従来、火災、交通事故、水難事故、震災等の各種の災害時に、被災者を救助する救助工作車等の作業工作車がある。
【０００３】
このような作業工作車は、運転部の後部に収納部が備えられており、この収納部内に、各種の作業に用いるための、空気呼吸器、破壊工具、発電機等の様々な種類の資機材が積載されている。
【０００４】
これらの資機材を、身長の低い作業者でも収納部から容易に取り出すことができるように、収納部下部に設けた足踏台の構造を改良した作業工作車がある（例えば、特許文献１参照）。
【特許文献１】特開平１０―１００７９６号公報
【発明の開示】
【発明が解決しようとする課題】
【０００５】
しかし、上記特許文献１の作業工作車では、高い位置にある資機材の取り出しは容易になるものの、収納部の左右方向の略中央部に置かれている資機材を取り出す場合には、収納部の手前に置かれた資機材を積み降ろしてから取り出す必要があり、資機材の取り出しに時間がかかってしまい、作業効率が悪いという問題点があった。
【課題を解決するための手段】
【０００６】
そこで、本発明では、運転部の後方位置に、作業に用いる資機材を収納する収納部を配設した作業工作車において、収納部に、左右方向に連通する収納空間を形成し、同収納空間の左右側部に可動収納体を配置すると共に、各可動収納体は、収納部の外側壁に沿わせて閉塞した収納位置と、収納部の外側壁よりも外方へ張り出させて開放した使用位置とに位置変更自在としたことを特徴とする作業工作車を提供することにした。
【０００７】
また、前記可動収納体は、前部又は後部を支点として回動自在に構成したことにも特徴を有する。
【０００８】
また、前記収納部の前後左右方向の略中央位置にポンプを配置するとともに、後部の左右方向略中央位置にタンクを配置したことにも特徴を有する。
【発明の効果】
【０００９】
（１）請求項１記載の本発明では、運転部の後方位置に、作業に用いる資機材を収納する収納部を配設した作業工作車において、収納部に、左右方向に連通する収納空間を形成し、同収納空間の左右側部に可動収納体を配置すると共に、各可動収納体は、収納部の外側壁に沿わせて閉塞した収納位置と、収納部の外側壁よりも外方へ張り出させて開放した使用位置とに位置変更自在とした。
【００１０】
このようにして、各可動収納体を、収納部の外側壁に沿わせて閉塞した収納位置と、収納部の外側壁よりも外方へ張り出させて開放した使用位置とに位置変更自在としたので、資機材を、可動収納体に収納できるとともに、収納空間の略中央に置かれた資機材を取り出す際、従来のように、収納空間の左右端部近傍に置かれた資機材を積み降ろす必要がなく、可動収納体を収納位置から外方の使用位置に位置変更するだけで容易に取り出すことができる。
【００１１】
（２）請求項２記載の本発明では、前記可動収納体は、前部又は後部を支点として回動自在に構成した。
【００１２】
このようにして、可動収納体を前部又は後部を支点として回動自在に構成したので、可動収納体を、前部又は後部を支点として回動させるだけの簡単な構成で、収納位置から外方の使用位置に位置変更することができる。
【００１３】
（３）請求項３記載の本発明では、前記収納部の前後左右方向の略中央位置にポンプを配置するとともに、後部の左右方向略中央位置にタンクを配置した。
【００１４】
このようにして、前記収納部の前後左右方向の略中央位置にポンプを配置するとともに、後部の左右方向略中央位置にタンクを配置したので、収納部内の左右位置に資機材を収納することができ、これらの資機材を作業者が外側から容易に取り出すことができる。
【発明を実施するための最良の形態】
【００１５】
本発明に係る作業工作車は、運転部の後方位置に、作業に用いる資機材を収納する収納部を配設しており、収納部に、左右方向に連通する収納空間を形成し、同収納空間の左右側部に可動収納体を配置すると共に、各可動収納体は、前部又は後部を支点として収納部の外側壁に沿わせて閉塞した収納位置と、収納部の外側壁よりも外方へ張り出させて開放した使用位置とに回動自在に構成して位置変更自在としている。
【００１６】
したがって、資機材を、可動収納体に収納できるとともに、同可動収納体を前部又は後部を支点として回動させるだけの簡単な構成で、収納位置から外方の使用位置に位置変更することができ、収納空間の略中央に置かれた資機材を取り出す際、従来のように、収納空間の左右端部近傍に置かれた資機材を積み降ろす必要がなく、可動収納体を収納位置から外方の使用位置に位置変更するだけで容易に取り出すことができる。
【００１７】
また、前記収納部の前後左右方向の略中央位置にポンプを配置するとともに、後部の左右方向略中央位置にタンクを配置して、収納部内の左右位置に資機材を収納することができ、これらの資機材を作業者が外側から容易に取り出すことができるようにしている。
【実施例】
【００１８】
以下、本発明に係る作業工作車Ａの実施例を図面を用いて具体的に説明する。
【００１９】
なお、本実施例では、作業工作車Ａとして、火災、交通事故、水難事故、震災等の各種の災害時に、被災者を救助する救助工作車に適用した場合について説明するが、本発明はこれに限定されるものではなく、各種作業工作車に適用することができるものである。
【００２０】
図１は作業工作車Ａの全体右側面図、図２は作業工作車Ａの収納部内のレイアウトを示す平面説明図、図３は作業工作車Ａに取り付ける照明部の平面図、図４は同正面図、図５は図４のＡ−Ａ線における断面図、図６は可動照明枠の傾動姿勢を示す側面説明図である。
【００２１】
本発明に係る作業工作車Ａは、運転部１の後方位置に後述する収納部２を設け、同収納部２内に各種作業に用いる例えば空気呼吸器、破壊工具、発電機等の資機材を収納している。
【００２２】
収納部２は、図１及び図２に示すように、前後壁21,22と左右側壁23,23と天井部24と床部25とにより前後方向に伸延する箱型状に形成している。
【００２３】
収納部２の左右側壁23,23前部には、矩形状の開口部23a,23aをそれぞれ形成し、両開口部23a,23a間を、収納部２の左右方向に連通する収納空間Ｓ１として、比較的大きな資機材を収納できるようにしている。
【００２４】
また、対向する開口部23a,23a内には、可動収納体26を、ヒンジ部５を介して開閉自在にそれぞれ嵌合している。
【００２５】
可動収納体26は、外面を開放した箱体状に形成するとともに、その内部を複数の仕切壁27,27,27によって、上下方向へ複数段に仕切って、比較的小さな資機材を収納する複数の資機材収納部28,28,28,28を形成している。
【００２６】
前記開口部23aの後端には、前記ヒンジ部５の支持軸26aを上下へ軸線を向けて設けており、この支持軸26aによって可動収納体26の後端部が回動自在に軸支されている。
【００２７】
したがって、可動収納体26を、支持軸26aを中心として回動させる簡単な構成で、収納部２の側壁23に沿わせて閉塞した状態の収納位置と、図２中に一点鎖線で示す同収納部２の側壁23よりも外方へ張り出させて開放した状態の使用位置とに位置変更自在にすることができる。
【００２８】
これにより、収納空間Ｓ１の略中央に置かれた資機材を取り出す際、可動収納体26を収納位置から外方の使用位置に位置変更することで、容易に取り出すことができ、従来のように、収納部２の外側方に収納された資機材を取り出す（積み降ろす）必要がないので、作業効率を向上させることができる。
【００２９】
また、収納部２内は、上述したように前部を収納空間Ｓ１とする一方、略中央部をポンプを配置するポンプ配置空間Ｓ２とするとともに、後部の左右方向略中央を水を収容するタンクを配置するタンク配置空間Ｓ３としている。
【００３０】
そして、ポンプ配置空間Ｓ２及びタンク配置空間Ｓ３と、左右側壁23,23との間には各種資機材を収納する収納空間Ｓ４、Ｓ４を設けている。
【００３１】
すなわち、各種資機材を収納する収納空間Ｓ４、Ｓ４は、左右側壁23,23に隣接して形成される。
【００３２】
このようにして、ポンプ配置空間Ｓ２とタンク配置空間Ｓ３とを、収納部２の左右方向の略中央に設けることにより、ポンプ配置空間Ｓ２及びタンク配置空間Ｓ３と、左右側壁23,23との間に各種資機材を収納する収納空間Ｓ４、Ｓ４を設けることができる。
【００３３】
また、資機材の収納空間Ｓ１、Ｓ４を集中的に配置することにより、収納部２内の限られたスペースを有効利用することができ、収納部２内に収納のデッドスペースが生じてしまうことを可及的に防止している。
【００３４】
次に、左右側壁23,23の構成について説明する。なお、左右側壁23,23の構成はその構成が対称であること以外は、その構成を略同一としているため、ここでは、左側壁23について説明し、右側壁23の説明は省略する。
【００３５】
左側壁23の前後方向における中部及び後部には、図１及び図２に示すように、開口部23b,23cをそれぞれ形成し、これらの開口部23b,23c及び上述した開口部23aには、上下に開閉する開閉体としてのシャッター29をそれぞれ設けている。
【００３６】
したがって、シャッター29,29,29を開けることによって、左側壁23に隣接した位置に形成した前記収納空間Ｓ４内の資機材を、収納部２外から容易に取り出すことができるとともに、収納空間Ｓ１内の資機材を取り出すことができる。
【００３７】
また、開口部23b,23cの下方には、足踏台30,31をそれぞれ設けている。
【００３８】
両足踏台30,31は、下端を前後方向へ伸延する支軸（図示しない）により軸支された状態で前記側壁23に取り付けられており、支軸を中心として外方略水平位置まで倒すことができるようにしている。
【００３９】
このように、足踏台30,31を、支軸を中心として外方へ略水平位置まで倒れるように構成することで、作業者が足踏台30,31を略水平位置まで倒して足場として用いることができる。したがって、収納空間Ｓ４に収納された資機材をより容易に取り出すことができる。
【００４０】
ここで、開口部23bの下方に設けた足踏台30には、凹部30aを形成して、車輪３と接触することを防止している。
【００４１】
また、図１及び図３に示すように、側壁23の上方であって前記収納部２の天井部24上の左右側縁部には、資機材取り出し等の作業を容易にするための照明部４を配設している。
【００４２】
照明部４は、その前部と後部に固定照明枠40を配設するとともに、前後の固定照明枠40,40間に、前後方向に伸延する可動照明枠41を介設している。
【００４３】
両固定照明枠40,40及び可動照明枠41には、開口を設けて照明40L及び照明41L,41L,41L,41Lをそれぞれ嵌合している。
【００４４】
そして、各照明40L,41Lは運転部１等に設ける照明スイッチ（図示しない）によって点灯・消灯するようにしている。
【００４５】
ところで、上述した可動照明枠41の前・後部の下端は、図４及び図５に示すように、前記固定照明枠40,40の外側方下部に前後方向へ軸線を向けて設けた支持軸41a,41aによって、それぞれ上下方向に揺動自在に支持されている。
【００４６】
また、可動照明枠41には、前記支持軸41aの内側方であって、前記天井部24と前記可動照明枠41との間に、可動照明枠41を揺動させるための首振用シリンダ44を介装している。
【００４７】
したがって、図５に示すように、首振用シリンダ44を伸延させ、可動照明枠41を前記支持軸41a,41aを中心として回動させ、側壁23沿いから側壁23の外方向に傾斜させることができる。
【００４８】
これにより、図６（ａ）に示すように、可動照明枠41を直立姿勢にすれば、前記各照明40L,41Lが略水平方向外側を照らし、作業現場を明るくして、作業を容易にすることができる。
【００４９】
また、図６（ｂ）に示すように、可動照明枠41を前傾姿勢にすれば、前記照明41Lが、側壁23の外側下方を照らし、前記シャッター29,29,29及び足踏台30,31近傍を明るくして、作業をより確実かつ速やかにできる。
【００５０】
さらに、図６（ｃ）に示すように、可動照明枠41を略水平に倒した姿勢にすれば、前記照明41Lが略下方を照らし、前記シャッター29,29,29及び足踏台30,31近傍を明るくするとともに、前記開口部23a,23b,23cから収納部２内を明るくすることができる。その結果、上述したように、作業者が取り出しやすい位置に形成された収納空間Ｓ４，Ｓ４と、収納空間Ｓ１とを明るく照らすこととなり、作業者の資機材取り出し作業や収納作業をより容易かつ確実にできる。
【００５１】
このようにして、可動照明枠41を傾動自在に構成することで、作業者の作業態様に応じて、照射角度を調整することができる。
【００５２】
本実施例における作業工作車Ａは、以上のように構成されており、以下には、上記作業工作車Ａを用いて収納部２内に収納した資機材を取り出す方法について説明する。
（１）照明40L,41Lを点灯させる。
（２）次いで、開口部23a,23b,23cに設けたシャッター29を開ける。
【００５３】
ここで、シャッター29の開動作に対応して、各照明40L,41Lを点灯するように構成して、作業をより容易かつ速やかにしたり、閉動作に対応して、各照明40L,41Lを消灯するように構成して、各照明40L,41Lの消し忘れを防止したりすることもできる。
（３）所望の資機材が可動収納体26の資機材収納部28に収納されている場合、開口部23aから資機材収納部28の資機材を取り出す。
【００５４】
一方、所望の資機材が収納空間Ｓ１の略中央部に収納されている場合には、可動収納体26を、支持軸26aを中心として、収納部２の側壁23に沿わせて閉塞した収納位置から、同収納部２の側壁23よりも外方へ張り出させて開放した使用位置に回動させた後、収納空間Ｓ１の略中央位置に収納された資機材を取り出す。
【００５５】
このようにして、収納空間Ｓ１の略中央部に収納されている資機材を容易に取り出すことができる。
【００５６】
また、所望の資機材を収納空間Ｓ４に収納している場合には、開口部23b,23cから収納空間Ｓ４の資機材を取り出す。
【００５７】
ここで、収納空間Ｓ４は、作業者が資機材を取り出しやすい位置に形成しているので、資機材をより容易に取り出すことができる。
【００５８】
このとき、可動照明枠41,41を、図６（ｃ）に示すように、略水平に倒した姿勢にして、各開口部23a,23b,23cから収納空間Ｓ１、Ｓ４を照らして、作業者の資機材取り出し作業をより容易かつ確実にすることができる。
【００５９】
このようにして、収納空間Ｓ１、Ｓ４の資機材を速やかに取り出すことができ、作業効率を向上させることができる。
【図面の簡単な説明】
【００６０】
【図１】図１は作業工作車の全体右側面図。
【図２】図２は作業工作車の収納部内のレイアウトを示す平面説明図。
【図３】図３は作業工作車に取り付ける照明部の平面図。
【図４】図４は作業工作車に取り付ける照明部の正面図。
【図５】図５は図４のＡ−Ａ線における断面図。
【図６】可動照明枠の傾動姿勢を示す側面説明図であり、（ａ）は可動照明枠を直立姿勢にした状態の説明図。（ｂ）は可動照明枠を前傾姿勢にした状態の説明図。（ｃ）は可動照明枠を略水平に倒した姿勢にした説明図。
【符号の説明】
【００６１】
Ａ  作業工作車
Ｓ１  収納空間
Ｓ２  ポンプ配置空間
Ｓ３  タンク配置空間
Ｓ４  収納空間
１  運転部
２  収納部
５  ヒンジ部
23  側壁
26  可動収納体
26a  支持軸
【図１】
2005280659.tif 000003
【図２】
2005280659.tif 000004
【図３】
2005280659.tif 000005
【図４】
2005280659.tif 000006
【図５】
2005280659.tif 000007
【図６】
2005280659.tif 000008